(57)【要約】    【課題】      コンテンツを視聴する際に最新の有効な広告を確実に視聴させることができる視聴制御装置を提供する。    【解決手段】  ＥＭＭ1021で指定されたコンテンツと有効期限とを更新するＥＭＭ更新情報10111を広告1011に対応付け、広告1011が視聴されたとき、ＥＭＭ1021を更新して、ＥＭＭ更新情報10111で指定されたコンテンツの視聴が可能になるように構成している。そのため、視聴者は、コンテンツを無料で視聴するために、確実に広告を見ることになる。広告の視聴で可能になるコンテンツの視聴には有効期限が設定されるため、コンテンツの視聴時点がその有効期限内に含まれるように最新の広告を視聴することが必要になる。  【選択図】      図１
2005032234.tif 000002
【特許請求の範囲】
【請求項１】
コンテンツの識別情報と当該コンテンツの視聴有効期限を示す視聴条件情報を処理モジュールで保持し、
前記視聴条件情報を更新する視聴条件更新情報に対応付けられた広告を再生した場合、前記視聴条件更新情報に基づいて、前記処理モジュールで保持している前記視聴条件情報を更新部により更新し、前記視聴条件情報に基づき前記コンテンツの再生制御することを特徴とする視聴制御装置。
【請求項２】
前記処理モジュールはセキュアモジュールであることを特徴とする請求項１に記載の視聴制御装置。
【請求項３】
前記コンテンツの有効期限は、絶対時刻または相対時刻で指定されることを特徴とする請求項１に記載の視聴制御装置。
【請求項４】
相対時刻で示される前記コンテンツの有効期限から、広告視聴開始時刻から広告視聴終了時刻のうちの任意の時点または広告取得時刻を基準時刻として、絶対時刻で示される前記コンテンツの有効期限を生成することを特徴とする請求項３に記載の視聴制御装置。
【請求項５】
視聴条件更新情報は、広告の有効期限と、前記有効期限が経過した時点で取得すべき最新の広告の取得先の情報を含むことを特徴とする請求項１に記載の視聴制御装置。
【請求項６】
前記コンテンツまたは前記広告を、放送、通信または記録メディア経由で取得することを特徴とする請求項１に記載の視聴制御装置。
【請求項７】
前記コンテンツまたは前記広告を、事前に蓄積することを特徴とする請求項１に記載の視聴制御装置。
【請求項８】
前記コンテンツ、前記視聴条件更新情報または前記視聴条件情報は、暗号化されていることを特徴とする請求項１に記載の視聴制御装置。
【請求項９】
前記広告の再生開始時に共通鍵で暗号化した第１の鍵を処理モジュールに出力し、前記広告の再生終了時に、前記第１の鍵で暗号化した前記視聴条件更新情報を処理モジュールに出力し、処理モジュールでは、前記第１の鍵を共通鍵で復号化し、前記視聴条件更新情報を前記第１の鍵で復号化して前記視聴条件情報を更新することを特徴とする請求項１に記載の視聴制御装置。
【請求項１０】
処理モジュールで前記第１の鍵を受信してから前記視聴条件更新情報を受信するまでの経過時間と、前記広告の本来の再生表示時間とが異なるとき、前記視聴条件情報の更新を行わないことを特徴とする請求項９に記載の視聴制御装置。
【請求項１１】
前記広告の再生開始時に共通鍵で暗号化した第１の鍵を処理モジュールに出力し、以後、前記広告の再生が予め決めた量だけ進捗するごとに、直前に送った鍵で新たな鍵を暗号化して処理モジュールに出力し、前記広告の再生終了時には、その直前に送った鍵で暗号化した前記視聴条件更新情報を処理モジュールに出力し、処理モジュールでは、送られた鍵を順次復号化して再生し、前記視聴条件更新情報をその前に送られた鍵で復号化して前記視聴条件情報を更新することを特徴とする請求項９に記載の視聴制御装置。
【請求項１２】
処理モジュールで各鍵を受信してから次の鍵を受信するまでの経過時間、及び、最後の鍵を受信してから前記視聴条件更新情報を受信するまでの経過時間が、前記広告の再生を予め決めた量だけ進捗させるために要する時間と異なるとき、前記視聴条件情報の更新を行わないことを特徴とする請求項１１に記載の視聴制御装置。
【請求項１３】
前記コンテンツを複製するとき、前記コンテンツの視聴を可能にする広告を併せて複製することを特徴とする請求項１に記載の視聴制御装置。
【請求項１４】
前記視聴条件情報または前記視聴情報更新情報は、コンテンツのグループに対応付けられることを特徴とする請求項１に記載の視聴制御装置。
【請求項１５】
前記コンテンツを再生するとき、当該前記コンテンツの視聴を可能にする広告を、当該コンテンツより前に再生することを特徴とする請求項１に記載の視聴制御装置。
【請求項１６】
コンピュータを、
コンテンツの識別情報と当該コンテンツの視聴有効期限を示す視聴条件情報を保持し、
前記視聴条件情報を更新する視聴条件更新情報に対応付けられた広告を再生した場合、前記視聴条件更新情報に基づいて、保持している前記視聴条件情報を更新し、
前記視聴条件情報に基づき前記コンテンツの再生制御するよう機能させることを特徴とする視聴制御プログラム。
【請求項１７】
視聴対象の暗号化済コンテンツとその暗号化済コンテンツの視聴可能な有効期限とを指定するコンテンツの視聴条件情報を保持し、前記視聴条件情報で指定された有効期限に基づき前記暗号化済コンテンツを復号化して再生させるセキュアモジュールであって、
前記視聴条件情報で指定された前記暗号化済コンテンツの有効期限を更新する視聴条件更新情報が対応付けられた広告が再生された場合、前記視聴条件更新情報に基づいて前記視聴条件情報を更新し、前記視聴条件更新情報で指定された前記暗号化済コンテンツの視聴を可能にすることを特徴とするセキュアモジュール。
【発明の詳細な説明】
【技術分野】
【０００１】
本発明は、放送されたコンテンツや蓄積されたコンテンツの視聴を制御する視聴制御装置、視聴制御プログラム、セキュアモジュール、コンテンツを記録した記憶媒体等に関し、特に、広告の視聴を条件にコンテンツの視聴を可能にしたものである。
【背景技術】
【０００２】
従来から、デジタルコンテンツは、放送や、ＤＶＤなどの記憶媒体に記録されてユーザに提供され、コンテンツに対する対価は、ユーザが記憶媒体の購入費や放送の視聴料の形で支払ったり、コンテンツに付して放送した広告の広告主から徴収したり、または、コンテンツの視聴時に課金する方式（pay per view:ＰＰＶ）等が取られている。
【０００３】
コンテンツの対価をユーザが支払う有料放送では、コンテンツが暗号化鍵（スクランブル鍵）Ｋｓで暗号化（スクランブル）されて放送され、それと共に、スクランブル鍵Ｋｓや番組の視聴条件に関する情報を含む番組情報（ＥＣＭ：Entitlement Control Message）がワーク鍵Ｋｗで暗号化されて放送される。このスクランブル鍵Ｋｓは数秒ごとに更新される。
【０００４】
一方、視聴契約を結んだユーザの受信装置は、ＥＣＭを復号するためのワーク鍵Ｋｗや、契約条件の情報を含む個別情報（ＥＭＭ：Entitlement Management Message）を放送から受信し、このＥＭＭが、受信装置に装着されたＩＣカードで保持される。
【０００５】
放送されたコンテンツをユーザが視聴する場合は、受信装置で受信したＥＣＭがＫｗで復号化され、ＥＭＭの契約条件が、ＥＣＭに含まれる番組の視聴条件を満たしているか否かが判定され、視聴条件を満たしているとき、また、ＰＰＶでは、さらに番組購入の処理が行われたとき、ＥＣＭに含まれるＫｓがＫｗで復号化され、このＫｓを用いて、受信したコンテンツのデスクランブルが行われる。
【０００６】
また、コンテンツを記憶媒体に記録して提供する場合は、著作権を守るためにコンテンツを暗号化して記憶媒体に記録し、コンテンツの購入者に記憶媒体とコンテンツの復号鍵とを提供する方式が考案されている。
【０００７】
一方、放送するコンテンツの対価を広告主から徴収する場合は、コンテンツが、広告と共にスクランブル無しに放送される。これを受信した視聴者は、広告を視聴する見返りとして、コンテンツを無料で視聴することができる。
【０００８】
しかし、近年、放送で提供されるコンテンツは、一度、蓄積装置に貯えられてから視聴されるようになり、そのため、コンテンツに広告を付して放送しても、再生時には、広告を飛ばして、コンテンツだけを再生視聴する場合が増えている。こうした状況は、放送媒体を利用する広告の効果を減殺させることになる。
【０００９】
下記特許文献１には、放送されて蓄積された広告の視聴を促進するように考案された広告情報提供方法が提案されている。この方法は、ユーザが広告を視聴することによって、放送受信端末を安価にレンタルできるようにするものであり、放送されて蓄積された広告をユーザが再生視聴すると、その履歴がハードディスクに記録されて広告発行サイトへ通知され、広告の再生視聴時間に応じて次の月のレンタル料金が割り引かれる。
【特許文献１】特開２００２−１５７５１６号公報
【発明の開示】
【発明が解決しようとする課題】
【００１０】
しかし、放送したコンテンツの対価を広告の広告主から徴収する方式は、広告主にとって広告がユーザに広く知れ渡ると言うメリットがあり、また、ユーザにとってコンテンツが無料で視聴できると言う利点がある。しかし、放送されたコンテンツを一旦蓄積して好きなときに再生する近年の視聴形態は、前述するように、広告をスキップしてコンテンツだけを再生することが可能になるため、放送を利用する広告の効果を失わせ、広告主の放送離れを招き、広告料をベースとしたコンテンツの提供を困難にする虞がある。
【００１１】
また、蓄積された広告の視聴を促す方策を講じたとしても、過去に放送して蓄積された、鮮度の落ちた広告が視聴されるのでは、広告主の希望を満足させることはできない。
【００１２】
一方、コンテンツが蓄積または視聴された時に課金する方法は、個々の視聴者から料金を徴収しなければならないため、料金の回収コストが掛かるという問題がある。また、コンテンツの視聴前に課金されるので、内容を確かめないままコンテンツを購入することに躊躇する傾向があり、それほどの収入が得られないという問題がある。また、この課金方法は、企業の宣伝広告の場を奪うことにもなる。
【００１３】
本発明は、こうした従来の問題点を解決するものであり、広告の視聴を条件にコンテンツの視聴を可能にする視聴制御装置、視聴制御プログラム、セキュアモジュールを提供し、また、そのコンテンツを記録した記録媒体等を提供することを目的としている。
【００１４】
なお、この明細書では、コンテンツの視聴制御に関与する各種装置、デバイス、セキュアモジュール、時刻補正サイト、広告発行サイトを個々に、または、それらの組み合わせを視聴制御装置と呼ぶことにする。
【課題を解決するための手段】
【００１５】
上記課題を解決するために、本発明は第１の構成として、コンテンツの識別情報と当該コンテンツの視聴有効期限を示す視聴条件情報を処理モジュールで保持し、前記視聴条件情報を更新する視聴条件更新情報に対応付けられた広告を再生した場合、前記視聴条件更新情報に基づいて、前記処理モジュールで保持している前記視聴条件情報を更新部により更新し、前記視聴条件情報に基づき前記コンテンツの再生制御がするように構成している。
【００１６】
この構成により、視聴者は、コンテンツを無料で視聴するために、確実に広告を見ることになる。また、広告の視聴で可能になるコンテンツの視聴には有効期限が設定されるため、コンテンツの視聴時点がその有効期限内に含まれるように最新の広告を視聴することが必要になる。その結果、広告主の期待に沿った広告の視聴が行われる。また、コンテンツ制作者は、過去に制作したコンテンツを対象として広告料を得ることができる。
【００１７】
また、本発明は第２の構成として、処理モジュールをセキュアモジュールであるよう構成している。
【００１８】
この構成により、視聴条件の保持およびその更新をセキュアに行うことができる。
【００１９】
また、本発明では、第３の構成として、前記コンテンツの有効期限を、絶対時刻または相対時刻で指定するように構成している。
【００２０】
この構成によりコンテンツの有効期限が、絶対時刻または相対時刻で指定可能になる。
【００２１】
また、本発明では、第４の構成として、相対時刻で示される前記コンテンツの有効期限から、広告視聴開始時刻から広告視聴終了時刻のうちの任意の時点または広告取得時刻を基準時刻として、絶対時刻で示される前記コンテンツの有効期限を生成するよう構成している。
【００２２】
この構成により相対時刻指定から絶対時刻指定への変換が可能となる。
【００２３】
また、本発明では、第５の構成として、視聴条件更新情報は、広告の有効期限と、前記有効期限が経過した時点で取得すべき最新の広告の取得先を示す広告関連情報を含むことよう構成している。
【００２４】
この構成により、最新の広告情報を取得、提供することが可能となる。
【００２５】
また、本発明では、第６の構成として、前記コンテンツまたは前記広告を、放送、通信または記録メディア経由で取得するよう構成している。
【００２６】
この構成によりコンテンツまたは広告を放送、通信または記録メディア経由で取得可能となる。
【００２７】
また、本発明では、第７の構成として、前記コンテンツまたは前記広告を、事前に蓄積するよう構成している。
【００２８】
この構成により、前記コンテンツまたは前記広告を、事前に蓄積し再生することが可能となる。
【００２９】
また、本発明では、第８の構成として、前記コンテンツ、前記視聴条件更新情報または前記視聴条件情報は、暗号化するよう構成している。
【００３０】
この構成により、前記コンテンツ、前記視聴条件更新情報または前記視聴条件情報をセキュアに保持することが可能となる。
【００３１】
また、本発明では、第９の構成として、前記広告の再生開始時に共通鍵で暗号化した第１の鍵を処理モジュールに出力し、前記広告の再生終了時に、前記第１の鍵で暗号化した前記視聴条件更新情報を処理モジュールに出力し、処理モジュールでは、前記第１の鍵を共通鍵で復号化し、前記視聴条件更新情報を前記第１の鍵で復号化して前記視聴条件情報を更新するよう構成している。
【００３２】
この構成により、広告の先頭から最後まで視聴しないとコンテンツを見ることが出来ないように視聴制御することができ、広告を確実に視聴させることができる。
【００３３】
また、本発明では、第１０の構成として、処理モジュールで前記第１の鍵を受信してから前記視聴条件更新情報を受信するまでの経過時間と、前記広告の本来の再生表示時間とが異なるとき、前記視聴条件情報の更新を行わないよう構成している。
【００３４】
この構成により、広告の最初と最後とを見た時間間隔を測定するので、広告の早送りなどを防止することができる
【００３５】
また、本発明では、第１１の構成として、前記広告の再生開始時に共通鍵で暗号化した第１の鍵を処理モジュールに出力し、以後、前記広告の再生が予め決めた量だけ進捗するごとに、直前に送った鍵で新たな鍵を暗号化して処理モジュールに出力し、前記広告の再生終了時には、その直前に送った鍵で暗号化した前記視聴条件更新情報を処理モジュールに出力し、処理モジュールでは、送られた鍵を順次復号化して再生し、前記視聴条件更新情報をその前に送られた鍵で復号化して前記視聴条件情報を更新するよう構成している。
【００３６】
この構成により、早送りなどをすること無く、広告内の複数のポイントをすべて視聴しないとコンテンツを視聴するための鍵が得られない。従って、広告の早送りなどを確実に防止することができ、広告を確実に視聴させることができる。
【００３７】
また、本発明では、第１２の構成として、処理モジュールで各鍵を受信してから次の鍵を受信するまでの経過時間、及び、最後の鍵を受信してから前記視聴条件更新情報を受信するまでの経過時間が、前記広告の再生を予め決めた量だけ進捗させるために要する時間と異なるとき、前記視聴条件情報の更新を行わないよう構成している。
【００３８】
この構成により、早送りなどをすること無く、広告内の複数のポイントをすべて視聴しないとコンテンツを視聴するための鍵が得られない。従って、広告の早送りなどを確実に防止することができ、広告を確実に視聴させることができる。
【００３９】
また、本発明では、第１３の構成として、前記コンテンツを複製するとき、前記コンテンツの視聴を可能にする広告を併せて複製するよう構成している。
【００４０】
この構成により複製したコンテンツを視聴する際にも、広告の視聴を条件とする同様の視聴制御を行うことができる。
【００４１】
また、本発明では、第１４の構成として、前記視聴条件情報または前記視聴情報更新情報は、コンテンツのグループに対応付けられるよう構成している。
【００４２】
この構成により、コンテンツの視聴制御の管理を、コンテンツをグループ化して行うことが可能となる。
【００４３】
また、本発明では、第１５の構成として、前記コンテンツを再生するとき、当該前記コンテンツの視聴を可能にする広告を、当該コンテンツより前に再生するよう構成している。
【００４４】
この構成によりコンテンツの視聴を可能にする広告を、コンテンツより前に再生することが可能となる。
【発明の効果】
【００４５】
本発明の視聴制御装置では、広告を視聴したときにコンテンツが視聴できるように、コンテンツの視聴制御を行うことができる。そのため、視聴者は、コンテンツを無料で視聴するために、確実に広告を見ることになる。また、広告の視聴で可能になるコンテンツの視聴には有効期限が設定されるため、コンテンツの視聴時点がその有効期限内に含まれるように最新の広告を視聴することが必要になる。その結果、広告主の期待に沿った広告の視聴が行われる。また、コンテンツ制作者は、過去に制作したコンテンツを対象として広告料を得ることができる。
【００４６】
また、広告の先頭から最後まで視聴しないとコンテンツを見ることが出来ないように視聴制御することができ、広告を確実に視聴させることができる。
【発明を実施するための最良の形態】
【００４７】
以下、本発明の実施の形態について図面を用いて説明する。なお、本発明は、これら実施の形態に何等限定されるものではなく、その要旨を逸脱しない範囲で種々の態様により実施することができる。
【００４８】
（第１の実施形態）
本発明の第１の実施形態では、広告が視聴されたときにコンテンツの視聴を可能にする視聴制御装置の基本構成について説明する。
【００４９】
この装置は、図１のブロック図に示すように、広告1011、スクランブルされた暗号化済コンテンツ1012及び鍵Ｋｗで暗号化されたＥＣＭ1013を出力する再生／放送装置101と、保持している鍵Ｋｗ1022を用いてＥＣＭ1013から鍵Ｋｓ103を取り出すセキュアモジュール102と、暗号化済コンテンツ1012を鍵Ｋｓ103で復号化して暗号解除コンテンツ105を出力するデスクランブラ104と、広告1011及び暗号解除コンテンツ105を表示する表示装置106とを備えている。
【００５０】
再生／放送装置101は、広告1011、暗号化済コンテンツ1012及びＥＣＭ1013を生成し、無線や有線回線で放送・送信する放送装置であり、あるいは、この放送装置から受信した広告1011、暗号化済コンテンツ1012及びＥＣＭ1013を蓄積して再生・出力する再生装置である。この広告1011には、対象のコンテンツとそのコンテンツの視聴が可能な有効期限とを指定するＥＭＭ更新要求10111が含まれており、このＥＭＭ更新要求10111は鍵Ｋｗ1022で暗号化されている。また、ＥＣＭ1013には、コンテンツをデスクランブルするための鍵Ｋｓ103と視聴可能条件を示す情報とが含まれており、それらは鍵Ｋｗ1022で暗号化されている。
【００５１】
セキュアモジュール102は、受信装置に装着または組み込まれており、デスクランブラ104は受信装置の一部を構成している。このセキュアモジュール102には、コンテンツの視聴条件を示すＥＭＭ1021と、ＥＭＭ更新要求10111及びＥＣＭ1013を復号化するための鍵Ｋｗ1022とが保持されている。このＥＭＭ1021及び鍵Ｋｗ1022は、従来のシステムと同様に、予め放送されてセキュアモジュール102に格納される。
【００５２】
セキュアモジュール102は、また、ＥＭＭ更新要求10111を受けたときに、それを鍵Ｋｗ1022で復号化し、ＥＭＭ更新要求10111の情報（即ち、ＥＭＭ更新要求10111で指定されたコンテンツと、そのコンテンツの視聴可能な有効期限の情報）をＥＭＭ1021に設定するＥＭＭ更新部1024と、ＥＣＭ1013を鍵Ｋｗ1022で復号化して、その中に記載されているコンテンツを識別し、ＥＭＭ1021に設定されているそのコンテンツの視聴可能な有効期限と現在時刻とを比較して、視聴可能な場合にＥＣＭ1013から鍵Ｋｓ103を抽出するＫｓ抽出部1023とを備えている。
【００５３】
このセキュアモジュール102は、いわゆるＣＡＳカード（限定受信を目的としたカード）やＩＣカードであり、外からのデータの不正な読み出しや書き込みが不可能で、不整なアクセスをしようとすると破壊される媒体で作成されている。
【００５４】
なお、ＥＭＭ更新要求10111では、コンテンツの視聴可能な有効期限として、広告の放送時刻または蓄積時刻からの一定時間を指定する。有効期限の終了時刻を具体的に指定しても良い。また、現在時刻から一定時間を有効期限としても良い。
【００５５】
この視聴制御装置の動作について説明する。まず、再生／放送装置101は、ＥＭＭ更新要求10111を含む広告1011と暗号化済コンテンツ1012とを再生または放送する。広告1011と暗号化済コンテンツ1012との再生または放送は同時である必要はない。暗号化済コンテンツ1012を再生または放送する時には、それと同期したＥＣＭ1013を再生または放送する。再生または放送された広告1011は表示装置106で表示されるものとする。
【００５６】
セキュアモジュール102内のＥＭＭ1021は、最初はどのコンテンツも視聴不可能と設定されている。セキュアモジュール102のＥＭＭ更新部1024は、表示された広告1011に含まれるＥＭＭ更新要求10111を受信すると、鍵Ｋｗ1022で復号化して、ＥＭＭ更新要求10111で指定されたコンテンツとそのコンテンツの視聴可能な有効期限とをＥＭＭ1021に設定する。
【００５７】
次に、Ｋｓ抽出部1023は、ＥＣＭ1013を受信すると、ＥＣＭ1013を鍵Ｋｗ1022で復号化して、その中に記載されているコンテンツを識別し、ＥＭＭ1021に設定されているそのコンテンツの視聴可能な有効期限と現在時刻とを比較して、視聴可能な場合にＥＣＭ1013から鍵Ｋｓ103を抽出してセキュアモジュール102から送出する。
【００５８】
デスクランブラ104は、暗号化済コンテンツ1012と鍵Ｋｓ103とを受信して、暗号化済コンテンツ1012を鍵Ｋｓ103で復号化し、暗号解除コンテンツ105を送出する。この暗号解除コンテンツ105は表示装置106で表示される。
【００５９】
この視聴制御装置の視聴制御により、コンテンツの視聴は、そのコンテンツのＥＭＭ更新要求10111を含む広告1011を視聴し、且つ、そのコンテンツの視聴時点が、ＥＭＭ更新要求10111で規定された有効期限内である場合にのみ可能になる。
【００６０】
コンテンツに対するＥＭＭ更新要求10111は、そのコンテンツと共に放送する広告1011に含めるだけでなく、その後に放送する広告1011にも含めることができる。この場合、視聴者は、最近放送または蓄積された広告を見ることにより、以前に蓄積されたコンテンツの視聴条件が満たされ、このコンテンツの再生視聴が可能になる。
【００６１】
次に、広告が視聴されたときに暗号化済コンテンツの視聴を可能にする視聴制御装置の詳細動作について説明する。
【００６２】
視聴制御装置は、鍵Ｋｓ103で暗号化された暗号化済コンテンツ1012、広告1011、ＥＣＭ1013を復号する鍵Ｋｗ1022、ＥＣＭ1013を再生／放送装置101に蓄積している。暗号化済コンテンツ1012、広告1011、鍵Ｋｗ1022、ＥＣＭ1013は、ネットワーク、または放送または、ＳＤカード、ＤＶＤなどの記録メディア経由により取得してもよく、取得方法に関しては本発明では特に限定しない。
【００６３】
図２は、広告1011の構造の一例を示す図である。
【００６４】
広告1011は、広告本体1901と、ＥＭＭ更新要求情報10111とから構成される。ＥＭＭ更新要求情報10111は、第三者に容易に書き換えられないように鍵Ｋｗ1022で暗号化されている。
【００６５】
図３は、ＥＭＭ更新要求情報10111の構造の一例を示す図である。
【００６６】
ＥＭＭ更新要求情報10111は、契約情報を保持しており、契約情報として暗号化済コンテンツを識別するコンテンツＩＤ2001と、コンテンツＩＤ2001の視聴可能な有効期限を表す情報2002から構成される。有効期限とは、コンテンツＩＤで表される暗号化済コンテンツの視聴許可の開始時刻を示す開始時間2003と、視聴許可の期限を相対的に表す継続期間2004で構成される。開始時間2003と継続期間2004とは、広告スポンサーの意図に基くものであるため、センターであらかじめ設定される。ＥＭＭ更新要求情報10111の内容は、現在のデジタル放送などで用いられているＥＭＭと内容は同じである。なお、図３に示すＥＭＭ更新要求情報10111の場合、コンテンツＩＤ2001が「100」のコンテンツで、開始時間2003が「2000.01/01」、継続期間2004が「３日間」であること示している。
【００６７】
次に、ＥＣＭ1013の内容について説明する。ＥＣＭ1013の内容は、現在のデジタル放送などで用いられているＥＣＭと内容は同じであり、暗号化済コンテンツを識別するコンテンツＩＤ2001と、そのコンテンツを暗号化した鍵Ｋｓ103から構成される。
【００６８】
次に、ＥＭＭ1021の内容について説明する。ＥＭＭ1021の内容は、現在のデジタル放送などで用いられているＥＭＭと内容は同じであり、契約情報のリストから構成され、契約情報は、復号可能な暗号化済コンテンツを識別するコンテンツＩＤ2001と、暗号化済コンテンツの復号可能な有効期限から構成される。
【００６９】
以下、視聴者が広告を視聴する場合の視聴制御装置の広告再生動作と、視聴者が暗号化済コンテンツを視聴する場合の視聴制御装置の暗号化コンテンツ再生動作について説明する。
【００７０】
図４は、視聴者が広告を視聴する前のＥＭＭ1021の構成の一例を示す図である。
【００７１】
広告視聴前では、視聴制御装置は、コンテンツＩＤ2301が「200」の暗号化済みコンテンツ1012については2000年1月1日から１日間、コンテンツＩＤ2301が「300」の暗号化済みコンテンツ1012については、2000年1月2日から1日間、視聴可能となっているが、それ以外の暗号化済コンテンツ1012は視聴可能とはなっていない。
【００７２】
このような状況下で視聴者が2000年1月1日に広告を視聴する場合の視聴制御装置の広告再生動作について、図５のフローチャートを参照して説明する。
【００７３】
再生／放送装置101は、広告1011を表示装置106に渡す。これにより広告1011が再生され、視聴者は広告を視聴する（ステップ2101）。
【００７４】
次に再生／放送装置101は、広告1011に含まれるＥＭＭ更新要求情報10111をセキュアモジュール102に渡す（ステップ2102）。セキュアモジュール102のＥＭＭ更新部1024は、鍵Ｋｗ1022でＥＭＭ更新要求情報10111を復号する（ステップ2103）。
【００７５】
ＥＭＭ更新部1024は、ＥＭＭ更新要求情報10111の契約情報、本例では、図３に示すコンテンツＩＤ2001が「100」、開始時間2003が「2000年1月1日」、継続期間2004が「3日間」でＥＭＭ1021の契約情報を書き込む（ステップ2104）。
【００７６】
図６は、視聴者が広告を視聴した後のＥＭＭ1021の状態を示す図である。
【００７７】
ＥＭＭ更新部1024がＥＭＭ更新要求情報1011に基づき更新したＥＭＭ1021により、広告視聴後では、視聴制御装置は、図４に示すように、コンテンツＩＤ2301が「200」、「300」の暗号化済みコンテンツ1012に加え、コンテンツＩＤ2301が「100」の暗号化済みコンテンツ1012が2000年1月1日から3日間、視聴可能となる。
【００７８】
次に視聴者が広告を視聴した翌日の2000年1月2日にコンテンツＩＤ2301が「100」の暗号化済コンテンツを視聴する場合の視聴制御装置の暗号化コンテンツ再生動作について、図７のフローチャートを用いて説明する。
【００７９】
再生／放送装置101は、コンテンツＩＤ2301が「100」の暗号化済コンテンツ1012をデスクランブラ104に渡す（ステップ2201）。
【００８０】
再生／放送装置101は、ＥＣＭ1013をセキュアモジュール102のＫｓ抽出部1023に渡す（ステップ2202）。Ｋｓ抽出部1023は、ＥＣＭ1013を鍵Ｋｗ1022で復号し、ＥＣＭ1013に記述されているコンテンツＩＤ2301を取得する。本例ではコンテンツＩＤ2301が「100」を取得する（ステップ2203）。
【００８１】
Ｋｓ抽出部1023は、ＥＭＭ1021にこのコンテンツＩＤ2301が「100」に関する契約情報が設定されているかどうかをチェックする（ステップ2204）。契約情報がない場合は暗号化コンテンツの復号を中止する（ステップ2205）。
【００８２】
ここで、契約情報がある場合、図６に示すようなＥＭＭ1021から契約情報として有効期限2302を取得する（ステップ2206）。現在時刻が有効期限2302の開始時間2303から（開始時間2303＋継続期間2304）の間にあるかどうかをチェックする（ステップ2207）。
【００８３】
現在時刻が開始時間2003と、（開始時間2303＋継続期間2304）との間にない場合は、コンテンツＩＤ2301が「100」の暗号化済コンテンツ1012の復号を中止する（ステップ2208）。
【００８４】
本例では、現在時刻が2000年1月2日、開始時間2303が2000年1月1日、（開始時間2003＋継続期間2004）は2000年1月4日となり、現在時刻はこれらの間に存在するので、このまま処理を続ける。現在時刻が開始時間2303と、（開始時間2303＋継続期間2304）との間にある場合、Ｋｓ抽出部1023はＥＣＭ1013から鍵Ｋｓ103を取り出し、デスクランブラ104に送出する（ステップ2209）。デスクランブラ104は鍵Ｋｓ103を取得すると、暗号化済コンテンツ1012を鍵Ｋｓ103で復号し、表示装置106に渡す（ステップ2210）。
【００８５】
なお、実実施形態では、デジタル放送のＣＡＳ技術（ＥＣＭ、ＥＭＭ）を利用した例を示したが、本発明はデジタル放送のＣＡＳ応用に限定されるものではなく、契約情報を伝送する仕組と、それを受信装置内部で管理する仕組（ＥＭＭに相当）と、鍵情報を伝送する仕組とそれを受信装置内部で管理する仕組（ＥＣＭに相当）を持つコンテンツ配信システム全般に適用可能である。
【００８６】
また、本実施形態では、セキュアモジュールを利用する例を示したが、これはＥＭＭ情報、鍵Ｋｗなどの改竄を防止するためのものであり、別の仕組でこれら視聴制御に関する情報の改竄防止を実現してもよく、セキュアモジュールを構成の必須条件としているものではない。
【００８７】
また、本実施形態では、ＥＭＭ等の視聴条件の保持、更新を行う処理モジュールとしてセキュアモジュール102を利用する例を示したが、ノンセキュアな処理モジュールであってもよい。
【００８８】
また、本実施形態では、広告及びコンテンツが映像である場合を想定して説明したが、広告及びコンテンツは、音声その他のデータが混在しているものや音声のみのものでもよい。また、その場合、表示装置は、それぞれの形式の広告やコンテンツを表現できるものであれば良い。
【００８９】
なお、広告視聴開始時刻から広告視聴終了時刻のうちの任意の時点または広告取得時刻を基準時刻としてコンテンツの視聴有効期限を算出してもよい。
【００９０】
このように、この視聴制御装置では、コンテンツの視聴に先立ち、蓄積保存された古い広告ではなく、その視聴時に有効な広告を見せることができる。そのため、広告主は、商品等の新しい広告を効果的に見せるための手段を得ることができ、視聴者は、広告を見ることでコンテンツを無料で視聴できる。また、コンテンツ提供者は、過去に放送したコンテンツを対象として広告収入を得ることができる。
【００９１】
（第２の実施形態）
本発明の第２の実施形態では、広告の最初から最後まで視聴されたときにコンテンツの視聴を可能にする視聴制御装置について説明する。
【００９２】
この装置では、図８に示すように、再生／放送装置201から送出される広告2011の最後に、鍵Ｋｗ2022で暗号化された後にさらに鍵Ｋｗ２（2025）で暗号化されたＥＭＭ更新要求２（20111）が含まれ、また、広告2011の最初に、鍵Ｋｗ２（2025）を鍵Ｋｗ2022で暗号化したＫｗ２情報20112が含まれている。ＥＭＭ更新要求２（20111）の情報内容は、第１の実施形態のＥＭＭ更新要求10111と同じであり、対象のコンテンツと、そのコンテンツの視聴可能な有効期限とが記述されている。
【００９３】
一方、セキュアモジュール202は、Ｋｗ２情報20112を鍵Ｋｗ2022で復号化して鍵Ｋｗ２（2025）を抽出するＫｗ２抽出部2024と、ＥＭＭ更新要求２（20111）を鍵Ｋｗ２（2025）で復号化し、その情報をさらに鍵Ｋｗ2022で復号化して、得られたＥＭＭ更新要求２（20111）の情報をＥＭＭ2021に設定するＥＭＭ更新部2023とを備えている。その他の構成は第１の実施形態（図１）と変わりがない（図８では、表示装置106やデスクランブラ104等の図示の一部を省略している）。
【００９４】
この視聴制御装置の動作について、図９を参照して説明する。
【００９５】
まず、再生／放送装置201は、ＥＭＭ更新要求２（20111）とＫｗ２情報20112とを含む広告2011を再生または放送し、広告2011が表示装置106にて表示される（ステップ3101）。Ｋｗ２情報20112は広告の最初に再生または放送され（ステップ3102）、Ｋｗ２抽出部2024は、Ｋｗ２情報20112を受信すると、Ｋｗ２情報20112を鍵Ｋｗ2022で復号化して（ステップ3103）、鍵Ｋｗ２（2025）を抽出する（ステップ3104）。
【００９６】
次に、ＥＭＭ更新要求２（20111）が広告の最後に再生または放送され（ステップ3105）、ＥＭＭ更新部2023は、ＥＭＭ更新要求２（20111）を受信すると（ステップ3106）、これを鍵Ｋｗ２（2025）で復号化し（ステップ3107）、その情報を鍵Ｋｗ2022で復号化して、ＥＭＭ更新要求２（20111）で指定されたコンテンツを有効期限まで視聴可能とする情報をＥＭＭ2021に設定する（ステップ3108）。
【００９７】
その後は、第１の実施形態と同様に、ＥＭＭ2021に設定されている情報を基にコンテンツの表示を制御する。
【００９８】
このように、この視聴制御装置では、広告の先頭と最後とを視聴しないとコンテンツを見ることが出来ないので、広告を確実に視聴させることができる。
【００９９】
（第３の実施形態）
本発明の第３の実施形態では、広告が先頭から最後まで早送りをせずに視聴されたときにコンテンツの視聴を可能にする視聴制御装置について説明する。
【０１００】
この装置では、図１０に示すように、ＥＭＭ更新要求２（30111）の中に、広告3011の視聴時間を表す広告視聴時間情報301111が含まれている。
【０１０１】
一方、セキュアモジュール302は、Ｋｗ２情報30112を受信してからＥＭＭ更新要求２（30111）を受信するまでの時間を測定し、その時間が広告視聴時間情報301111と異なる場合に、ＥＭＭ3021に設定されているコンテンツの視聴情報を削除する広告視聴時間判定部3026を備えている。その他の構成は第２の実施形態（図８）と変わりがない。
【０１０２】
この視聴制御装置の動作について、図１１を参照して説明する。
【０１０３】
まず、再生／放送装置301は、ＥＭＭ更新要求２（30111）とＫｗ２情報30112とを含む広告3011を再生または放送し、広告が表示される（ステップ4101）。なお、ＥＭＭ更新要求２（30111）には、その広告の視聴時間に関する広告視聴時間情報301111が含まれている。
【０１０４】
Ｋｗ２情報30112は広告の最初に再生または放送され（ステップ4102）、Ｋｗ２抽出部3024は、Ｋｗ２情報30112を受信すると（ステップ4103）、Ｋｗ２情報30112を鍵Ｋｗ3022で復号化して、鍵Ｋｗ２（3025）を抽出する（ステップ4105）。なお、広告視聴時間判定部3026は、Ｋｗ２情報30112の受信時刻を記憶しておく（ステップ4104）。
【０１０５】
次に、ＥＭＭ更新要求２（30111）が広告の最後に再生または放送され（ステップ4106）、ＥＭＭ更新部２（3023）は、ＥＭＭ更新要求２（30111）を受信すると（ステップ4107）、鍵Ｋｗ２（3025）でＥＭＭ更新要求２（30111）復号化し（ステップ4109）、その情報をさらに鍵Ｋｗ3022で復号化して、ＥＭＭ更新要求２（30111）で指定されているコンテンツを有効期限まで視聴可能とする情報をＥＭＭ3021に設定する。なお、広告視聴時間判定部3026は、ＥＭＭ更新要求２（30111）の受信時刻を記憶しておく（ステップ4108）。
【０１０６】
次に、広告視聴時間判定部3026は、Ｋｗ２情報30112を受信してからＥＭＭ更新要求２（30111）を受信するまでの時間を測定し、広告視聴時間情報301111と比較して（ステップ4110）、異なる場合はＥＭＭ3021に設定されているコンテンツの視聴情報を削除する一方（ステップ4111）、一致している場合は第２の実施の形態と同様に、ＥＭＭ更新要求２（30111）で指定されたコンテンツを有効期限まで視聴可能とする情報をＥＭＭ3021に設定する（ステップ4112）。
【０１０７】
その後は、第１の実施形態と同様に、ＥＭＭ3021に設定されている情報を基にコンテンツの表示を制御する。
【０１０８】
このように、この視聴制御装置では、広告の最初と最後とを見た時間間隔を測定するので、広告の早送りなどを防止することができる。
【０１０９】
（第４の実施形態）
本発明の第４の実施形態では、広告の最初及び最後だけでなく、広告の途中にも一定時間毎にチェックポイントを設け、各チェックポイントの間が早送りをせずに視聴されたことを確認してコンテンツの視聴を可能にする視聴制御装置について説明する。
【０１１０】
この装置では、図１２に示すように、再生／放送装置401から送出される広告4011に、各チェックポイントで発行される鍵情報Ｋｃｍ40112と、広告4011の最後で発行されるＥＭＭ更新要求２（40111）とが含まれている。鍵情報Ｋｃｍ40112は、各チェックポイント毎に設定した異なる鍵Ｋｃｍ4025を暗号化した情報であり、広告の視聴時間中一定時間毎に発行される。最初に発行される鍵情報Ｋｃｍ40112は、最初のチェックポイントに設定した鍵Ｋｃ1を鍵Ｋｗ4022で暗号化した情報であり、次に発行される鍵情報Ｋｃｍ40112は、次のチェックポイントに設定した鍵Ｋｃ2を前のチェックポイントに設定した鍵Ｋｃ1で暗号化した情報であり、以下同様に、各チェックポイントに設定した鍵Ｋｃｍが、その前のチェックポイントに設定した鍵Ｋｃｍで暗号化され、鍵情報Ｋｃｍ40112として次々と発行される。
【０１１１】
また、ＥＭＭ更新要求２（40111）は、鍵Ｋｗ4022で暗号化した後、さらに最後のチェックポイントに設定した鍵Ｋｃｍ4025で暗号化されている。このＥＭＭ更新要求２（40111）には、対象のコンテンツと、そのコンテンツを視聴可能にする有効期間とが記述され、また、各Ｋｃｍ情報40112の発行時間間隔を表す広告視聴時間情報401111が記述されている。
【０１１２】
一方、セキュアモジュール402は、最初に発行されるＫｃｍ情報40112を鍵Ｋｗ4022で復号化して鍵Ｋｃｍ4025を抽出し、２番目以降に発行されるＫｃｍ情報40112を、１つ前のＫｃｍ情報40112から抽出した鍵Ｋｃｍ4025で復号化して鍵Ｋｃｍ4025を抽出するＫｃｍ抽出部4024と、ＥＭＭ更新要求２（40111）を受信したときに、Ｋｃｍ抽出部4024が最後に抽出した鍵Ｋｃｍ4025を用いてＥＭＭ更新要求２（40111）を復号化し、その情報をさらに鍵Ｋｗ4022で復号化して、ＥＭＭ更新要求２（40111）で指定されたコンテンツとそのコンテンツを視聴可能にする有効期間とをＥＭＭ4021に設定するＥＭＭ更新部4023と、Ｋｃｍ情報40112を受信してからＥＭＭ更新要求２（40111）を受信するまでの各チェックポイント間の時間を測定し、広告視聴時間情報401111と比較して異なる場合はＥＭＭ4021に設定されているコンテンツの視聴情報を削除する広告視聴時間判定部4026とを備えている。その他の構成は第２の実施形態（図８）と変わりがない。
【０１１３】
この視聴制御装置の動作について、図１３を参照して説明する。
【０１１４】
まず、再生／放送装置401は、ＥＭＭ更新要求２（40111）とＫｃｍ情報40112とを含む広告4011を再生または放送し、広告4011が表示される（ステップ5101）。なお、ＥＭＭ更新要求２（40111）には、その広告の視聴時間に関する広告視聴時間情報401111が含まれている。
【０１１５】
Ｋｃｍ情報40112は広告の再生または放送中に順次送出され（ステップ5102）、Ｋｃｍ抽出部4024は、Ｋｃｍ情報40112を受信すると（ステップ5103）、最初に発行されたＫｃｍ情報40112を鍵Ｋｗ4022で復号化して、鍵Ｋｃｍ4025を抽出する（ステップ5105）。なお、その際、広告視聴時間判定部4026がＫｗｃｍ情報40112の受信時刻を記憶する（ステップ5104）。
【０１１６】
同様に、２番目以降に発行されたＫｃｍ情報40112が広告の再生または放送中に順次送出され（ステップ5106）、Ｋｃｍ抽出部4024にて受信されると（ステップ5107）、１つ前のＫｃｍ情報から抽出した鍵Ｋｃｍ4025を用いて復号化して、鍵Ｋｃｍ4025を順次抽出する（ステップ5109）。その際、広告視聴時間判定部4026が２番目以降に発行されたＫｃｍ情報40112の受信時刻を記憶する（ステップ5108）。広告視聴時間判定部4026は、Ｋｃｍ情報40112の発行間隔が広告視聴時間情報401111に設定されている発行間隔と異なるときは、鍵Ｋｃｍ4025を削除して以降の鍵Ｋｃｍ4025またはＥＭＭ更新要求２(40111)を復号化できないようにする。
【０１１７】
次に、ＥＭＭ更新要求２（40111）が広告の最後に再生または放送されると（ステップ5110）、ＥＭＭ更新部２（4023）はＥＭＭ更新要求２（40111）を受信して（ステップ5111）、Ｋｃｍ抽出部4024が最後に抽出した鍵Ｋｃｍ4025を用いてＥＭＭ更新要求２（40111）を復号化し（ステップ5113）、さらにその情報を鍵Ｋｗ4022で復号化して、ＥＭＭ更新要求２（40111）に記載されたコンテンツと、その視聴可能にする有効期限とをＥＭＭ4021に設定する。なお、広告視聴時間判定部4026は、ＥＭＭ更新要求２（40111）の受信時刻を記憶しておく（ステップ5112）。
【０１１８】
次に、広告視聴時間判定部4026は、Ｋｃｍ情報40112を受信してからＥＭＭ更新要求２（40111）を受信するまでの時間を測定し、広告視聴時間情報401111と比較して（ステップ5114）、異なる場合はＥＭＭ4021に設定されているコンテンツの視聴情報を削除する一方（ステップ5115）、一致している場合は第２の実施の形態と同様に、ＥＭＭ更新要求２（40111）で指定されたコンテンツを有効期限まで視聴可能とする情報をＥＭＭ4021に設定する（ステップ5116）。
【０１１９】
その後は、第１の実施形態と同様に、ＥＭＭ4021に設定されている情報を基にコンテンツの表示を制御する。
【０１２０】
このように、この視聴制御装置では、早送りなどをすること無く、広告内の複数のポイントをすべて視聴しないとコンテンツを視聴するための鍵が得られない。従って、広告の早送りなどを確実に防止することができ、広告を確実に視聴させることができる。
【０１２１】
（第５の実施形態）
本発明の第５の実施形態では、セキュアモジュールの時刻が不正に変更されることを防止した視聴制御装置について説明する。
【０１２２】
本発明では、広告の視聴により、コンテンツの視聴を許容する有効期限を設定するが、この方式を遂行するためには、期限を管理するセキュアモジュールの時刻が正確でなければならない。セキュアモジュールの時刻は、従来から、例えば、一日に一回、電源が投入された時などに、外部から時刻情報を取得して補正するように構成されているが、この補正時に誤った情報を故意に与えてセキュアモジュールの時刻を不正に変更する操作が行われる虞がある。この実施形態の視聴制御装置は、こうした不正を防止する。
【０１２３】
この装置は、図１４に示すように、時刻情報を発信する時刻補正サイト501と、時刻補正サイト501から時刻情報を受信して、保持している現在時刻の情報を補正するセキュアモジュール502とを備えており、時刻補正サイト501は、鍵Ｋｗ5012を保持し、また、時刻情報をセキュアモジュール502から送られてきた鍵Ｋｔ5024で暗号化して送信する時刻情報作成部5011を具備している。
【０１２４】
一方、セキュアモジュール502は、鍵Ｋｗ5021を保持し、また、時刻情報を暗号化するための鍵Ｋｔ5024をランダムに発生させる鍵発生部5022と、時刻補正サイト501から受信した時刻情報を復号化して、セキュアモジュール502の時刻を補正する時刻補正部5023とを備えている。
【０１２５】
この視聴制御装置の動作について説明する。まず、セキュアモジュール内の現在時刻を補正する際に、鍵発生部5022は、ランダムに鍵Ｋｔ5024を発生し、その鍵を鍵Ｋｗ5021で暗号化して時刻補正サイト501に送信する。
【０１２６】
次に、時刻補正サイト501の時刻情報作成部5011は、暗号化された鍵Ｋｔ5024を受信すると、鍵Ｋｗ5021で復号化し、時刻補正サイト501の現在時刻を、復号化して得られた鍵Ｋｔ5024で暗号化してセキュアモジュール502へ送信する。
【０１２７】
次に、セキュアモジュール502の時刻補正部5023は、受信した時刻情報を鍵Ｋｔ5024で復号化して、セキュアモジュールの時刻を補正する。
【０１２８】
このように、この視聴制御装置では、セキュアモジュールの時刻を不正に変更することができない。そのため、コンテンツの視聴の有効期限を正確に管理することができ、また、コンテンツの視聴時に有効な広告を確実に見せることができる。
【０１２９】
（第６の実施形態）
本発明の第６の実施形態では、広告を見てコンテンツを無料視聴する方法と、ＰＰＶによりコンテンツを有料視聴する方法とを任意に選択できる視聴制御装置について説明する。
【０１３０】
この装置では、図１５に示すように、再生／放送装置601が、ＥＭＭ更新要求60111を含む広告6011と、コンテンツの視聴権の購入に必要な金額や視聴権購入の有効期間などの情報を鍵Ｋｗ6022で暗号化したＰＰＶ情報6012とを送出する。一方、受信装置は、コンテンツの視聴権の購入操作を行う視聴権購入操作部603を備え、また、セキュアモジュール602は、ＥＭＭ6021、Ｋｗ6022、ＥＭＭ更新部6023の他に、ＰＰＶ情報6012で指定されたコンテンツの視聴権を指定された有効期限内に購入する操作が視聴権購入操作部603で行われたとき、ＥＭＭ6021にそのコンテンツの視聴権が購入されたことを設定するＰＰＶ操作部6024を備えている。ＥＭＭ更新部6023は、ＥＭＭ更新要求60111を受信すると、鍵Ｋｗ6022で復号化して、ＥＭＭ更新要求60111に記載されているコンテンツとその視聴可能な有効期限とをＥＭＭ6021に設定するが、ＥＭＭ6021にそのコンテンツの視聴権を購入したと設定されている場合には、この処理を行わない。その他の構成は第１の実施形態（図１）と変わりがない。
【０１３１】
この視聴制御装置の動作について説明する。まず、再生／放送装置601はＥＭＭ更新要求60111を含む広告6011とＰＰＶ情報6012とを再生または放送する。
【０１３２】
セキュアモジュール602のＰＰＶ操作部6024は、視聴権購入操作部603からコンテンツの視聴権の購入操作があった場合に、そのコンテンツの視聴権の購入に関するＰＰＶ情報6012を受信して鍵Ｋｗ6022で復号化し、ＰＰＶ情報6012で規定された視聴権購入の有効期限内に現在時刻が含まれている場合に、ＥＭＭ6021にそのコンテンツの視聴権を購入したと設定する。
【０１３３】
ＥＭＭ更新部6023は、ＥＭＭ更新要求60111を受信すると、それを鍵Ｋｗ6022で復号化し、そのＥＭＭ更新要求60111が、ＥＭＭ6021にコンテンツの視聴権を購入したと設定されているコンテンツに対するものである時は、そのＥＭＭ更新要求60111を破棄する。それ以外のときは、ＥＭＭ更新要求60111で指定されたコンテンツとそのコンテンツの視聴可能な有効期限との情報をＥＭＭ6021に設定する。
【０１３４】
その後は、第１の実施形態と同様に、ＥＭＭ6021に設定されている情報を基にコンテンツの表示を制御する。
【０１３５】
このように、この視聴制御装置では、広告を視聴する代わりに、視聴権を購入してコンテンツを視聴することが可能である。この場合、視聴権購入の有効期限を規定することにより、最新のＰＰＶ情報で設定した視聴権の購入金額により、購入させることができる。
【０１３６】
（第７の実施形態）
本発明の第７の実施形態では、コンテンツの視聴に必要な広告に関する情報を事前に取得することができる視聴制御装置について説明する。
【０１３７】
この装置では、図１６に示すように、コンテンツを放送する放送装置701が、コンテンツの番組情報を記述したＥＰＧ7012を事前に放送し、その後、ＥＭＭ更新要求70111を含む広告7011と、スクランブルされた暗号化済コンテンツ7013と、コンテンツのスクランブル鍵及び視聴条件を暗号化したＥＣＭ7014とを放送する。このＥＰＧ7012には、各コンテンツ毎に、そのコンテンツを視聴するために必要な広告の一覧情報（コンテンツにおける広告の挿入ポイント、及びそのポイントで視聴すべき広告の対応関係を含む）と、コンテンツの視聴が可能な有効期限の情報と、それらの情報が更新された時にその更新された情報が掲載されるサイト情報とが記載された広告関連情報70121が含まれている。
【０１３８】
放送されるコンテンツを蓄積して再生する蓄積／再生装置702は、受信したＥＰＧ7012から広告関連情報7024を抽出して蓄積し、また、受信した、ＥＭＭ更新要求70211を含む広告7021、暗号化済コンテンツ7022及びＥＣＭ7023を蓄積する。
【０１３９】
この視聴制御装置の動作について説明する。まず、放送装置701はＥＰＧ7012を放送し、蓄積／再生装置702は、蓄積すべきコンテンツのＥＰＧ7012から抽出した広告関連情報7024を蓄積する。
【０１４０】
次に、放送装置701は、広告7011、暗号化済コンテンツ7013及びＥＣＭ7014を放送し、蓄積／再生装置702は、それぞれを受信して広告7021、暗号化済コンテンツ7022及びＥＣＭ7023を蓄積する。
【０１４１】
この蓄積／再生装置702は、第１の実施形態（図１）の再生／放送装置101として機能し、コンテンツの再生時に、蓄積している広告7021、暗号化済コンテンツ7022及びＥＣＭ7023を出力する。また、有効期間が過ぎて、蓄積している広告ではコンテンツの視聴ができなくなった場合は、広告関連情報7024に記載されたサイトから、コンテンツの視聴に必要な最新の広告の情報を取得し、その広告を放送から受信することができる。
【０１４２】
このように、この視聴制御装置では、コンテンツを視聴するために必要な広告に関する情報を事前に取得することができ、また、広告に関する情報が更新された場合でも、最新の広告を取得するための情報を得ることができる。
【０１４３】
（第８の実施形態）
本発明の第８の実施形態では、過去に蓄積したコンテンツやＤＶＤなどのメディアで提供されるコンテンツが視聴される前に、そのコンテンツの視聴に必要な広告を取得する視聴制御装置について説明する。
【０１４４】
この装置では、図１７に示すように、放送装置801が、ＥＭＭ更新要求80111を含む広告8011と、広告関連情報80121を含むＥＰＧ8012とを放送し、蓄積／再生装置802は、過去に蓄積した広告8021、暗号化コンテンツ8022、ＥＣＭ8023及び広告関連情報8024を保持している。また、蓄積／再生装置802は、過去に蓄積したコンテンツ8022またはＤＶＤなどのメディアで提供されるコンテンツの視聴を予約する予約手段8025と、蓄積されている広告8021及び広告関連情報8024を更新する広告更新手段8026とを備えている。広告更新手段8026は、更新する広告及び広告関連情報を放送装置801または広告発行サイト803から取得する。
【０１４５】
この視聴制御装置の動作について説明する。まず、視聴者は、予約手段8025で過去に蓄積したコンテンツまたはＤＶＤなどのメディアで提供されるコンテンツの視聴を予約する。
【０１４６】
次に、広告更新手段8026は、視聴予約されているコンテンツの蓄積済みの広告関連情報8024から有効期限情報を参照して、視聴予約されている時間がその有効期限後の場合は、放送装置801から放送されているＥＰＧ8012を参照し、対象コンテンツの視聴に必要な広告を蓄積するように予約を行い、その予約した時刻に放送される広告8011と広告関連情報80121とを受信して、広告8021と広告関連情報8024とを更新する。
【０１４７】
また、広告更新手段8026は、コンテンツの視聴予約時間までに最新の広告8011及び広告関連情報80121が放送されない場合には、ネットワーク経由で、広告発行サイト803に広告8011と広告関連情報80121とを要求し、それらを取得して広告8021と広告関連情報8024とを更新する。
【０１４８】
この蓄積／再生装置802は、第１の実施形態（図１）の再生／放送装置101として機能する。
【０１４９】
なお、ＥＰＧ8012はコンテンツの放送予定に関するものでも、広告の放送予定に関するものでも良い。
【０１５０】
このように、この視聴制御装置では、過去に蓄積したコンテンツやＤＶＤなどのメディアで提供されるコンテンツを視聴する際にも、その視聴前に、そのコンテンツの視聴に必要な最新の広告を取得することができる。
【０１５１】
（第９の実施形態）
本発明の第９の実施形態では、コピーしたコンテンツを視聴する際に、広告の視聴を条件とする視聴制御が可能な視聴制御装置について説明する。
【０１５２】
この装置では、図１８に示すように、コンテンツを蓄積して再生する蓄積／再生装置901及び902が、コンテンツのコピーを制御するコピー制御部9015及び9025を備えており、蓄積／再生装置901から蓄積／再生装置902にコンテンツをコピーする場合、コピー元の蓄積／再生装置901に蓄積されている、ＥＭＭ更新要求90111を含む広告9011、広告関連情報9014、暗号化済コンテンツ9012及びＥＣＭ9013が、コピー先の蓄積／再生装置902にコピーされ、ＥＭＭ更新要求90211を含む広告9021、広告関連情報9024、暗号化済コンテンツ9022及びＥＣＭ9023として蓄積される。
【０１５３】
この視聴制御装置の動作について説明する。まず、コンテンツをコピーする際は、コピー制御部9025がコピー制御部9015へコンテンツのコピーを依頼するか、もしくは、コピー制御部9015からコピー制御部9025へコンテンツのコピーの指示を行う。
【０１５４】
次に、コピー制御部9015は、該当するコンテンツの広告9011、暗号化コンテンツ9012、ＥＣＭ9013及び広告関連情報9014を蓄積／再生装置902へ送信する。
【０１５５】
次に、コピー制御部9025は、受信した情報をそれぞれ広告9021、暗号化コンテンツ9022、ＥＣＭ9023及び広告関連情報9024として蓄積する。
【０１５６】
この蓄積／再生装置902は、第１の実施形態（図１）の再生／放送装置101として機能する。
【０１５７】
このように、この視聴制御装置では、コンテンツをコピーするときに、視聴制御で必要となる情報もコピーされるため、コピーしたコンテンツを視聴する際、元のコンテンツと同様に、広告の視聴を条件にコンテンツの視聴を可能にする視聴制御を実行することができる。
【０１５８】
（第１０の実施形態）
本発明の第１０の実施形態では、グループを構成するコンテンツへの視聴制御情報（ＥＭＭ更新要求、広告関連情報）を一括管理する視聴制御装置について説明する。
【０１５９】
グループを構成するコンテンツは、シリーズ番組や同一ジャンルに含まれるコンテンツなどである。広告主は、同一グループのコンテンツが視聴される際に、同一または関連する広告を見せることにより、広告効果の向上を期待している。
【０１６０】
この装置では、図１９に示すように、広告発行サイト1000が、グループ毎のコンテンツの視聴に必要な広告に関する広告関連情報とＥＭＭ更新要求とを含むグループ視聴制御情報1001と、グループに属するコンテンツに関する情報であるグループ／コンテンツ対応情報1002とを保持し、これらの情報からコンテンツ毎に必要なＥＭＭ更新要求1004と広告関連情報1005とを作成する視聴情報作成部1003を備えている。
【０１６１】
この視聴制御装置の動作について説明する。まず、視聴情報作成部1003は、グループ／コンテンツ対応情報1002から同一グループに属するコンテンツを特定し、グループ視聴制御情報1001に基づいて、それらのコンテンツの各々に必要なＥＭＭ更新要求1004と広告関連情報1005とを作成する。
【０１６２】
コンテンツ毎に設定されたＥＭＭ更新要求1004及び広告関連情報1005は、第７の実施形態（図１６）、あるいは、第８の実施形態（図１７）の放送装置に送られて、そこでＥＭＭ更新要求を含む広告や広告関連情報を含むＥＰＧが作成される。
【０１６３】
このように、この視聴制御装置では、コンテンツの視聴制御の管理をコンテンツ毎に行う必要が無く、多量のコンテンツの視聴制御の管理を容易に行うことができる。
【０１６４】
（第１１の実施形態）
本発明の第１１の実施形態では、広告の視聴履歴を収集する視聴制御装置について説明する。
【０１６５】
この装置では、図２０に示すように、セキュアモジュール1102が、ＥＭＭ11021、鍵Ｋｗ11022、ＥＭＭ更新部11023の他に、広告の視聴履歴を保存して広告発行サイト1101に報告する履歴情報管理部11024を備えており、また、広告発行サイト1101は、受信した視聴履歴情報の復号化やその応答の暗号化に使用する鍵Ｋｗ11012を保持し、広告の視聴履歴を受信して応答を返す広告視聴履歴収集部11011を備えている。
【０１６６】
履歴情報管理部11024は、視聴した広告の情報を蓄積し、セキュアモジュール内の広告の視聴履歴情報の蓄積領域がいっぱいになった時、または一定期間毎に、各広告の発行サイト1101に各広告の視聴回数をＫｗ11022で暗号化して報告する。また、報告の時期に広告の視聴履歴情報を報告することができなかった場合は、何らかの不正操作が行われたものと見て、以降の広告の視聴によるコンテンツの視聴を不可とする。
【０１６７】
この視聴制御装置の動作について説明する。まず、セキュアモジュール1102の履歴情報管理部11024は、広告の視聴履歴を保存して視聴した広告の情報を蓄積し、一定期間毎に、あるいは、その前にセキュアモジュール内の広告の視聴履歴情報の蓄積領域がいっぱいになった時はそのときに、ＥＭＭ更新部11023を動作不能に設定して、各広告発行サイト1101に各広告の視聴回数を鍵Ｋｗ11022で暗号化して送信する。
【０１６８】
次に、広告発行サイト1101の広告視聴履歴収集部11011は、受信した広告の視聴回数を鍵Ｋｗ11012で復号化する。そして、その報告が正当と認められるときは、ＥＭＭ更新部11023を動作可能に設定し、且つ、報告済みの広告視聴履歴情報を削除するように指示する応答を、鍵Ｋｗ11012で暗号化してセキュアモジュール1102に送信する。また、広告発行サイト1101は、収集した広告の視聴回数を基に広告主から広告料を徴収する。
【０１６９】
広告発行サイト1101からの応答を受信したセキュアモジュール1102は、それを鍵Ｋｗ11021で復号化して、指示に応じた処理を行う。
【０１７０】
このように、この視聴制御装置では、偽りの無い広告の視聴状況を把握することができる。また、広告の視聴履歴情報を報告しない場合はコンテンツの視聴をやめさせることができる。
【０１７１】
（第１２の実施形態）
本発明の第１２の実施形態では、広告の視聴履歴を効率的に収集する視聴制御装置について説明する。
【０１７２】
この装置では、サンプリング対象の広告の視聴履歴を収集して、その他の広告の視聴状況を判定する。
【０１７３】
この装置では、図２１に示すように、再生／放送装置1203が出力する広告12031のＥＭＭ更新要求120311の中に、その広告の視聴履歴情報を広告発行サイト1201に報告する／しないを示す告知情報1203111が含まれている。各広告の告知情報1203111は、広告発行サイト1201によって設定される。セキュアモジュール1202の履歴情報管理部12024は、「報告する」告知情報1203111が付された広告の視聴履歴のみを広告発行サイト1201に報告する。広告発行サイト1201は、他の方法で集めた各広告の好感度のランキング情報12013を保持しており、このランキング情報12013を参照して、収集した広告の視聴履歴情報（サンプリングデータ）から、他の広告の視聴状況を判定する。
【０１７４】
この視聴制御装置の動作について説明する。まず、再生／放送装置1203は、ＥＭＭ更新要求120311を含む広告12031を再生または放送する。広告12031は表示装置に表示される。なお、ＥＭＭ更新要求120311には、その広告の視聴情報を広告発行サイト1201に報告する／しないを示す告知情報1203111が含まれている。
【０１７５】
次に、セキュアモジュール1202のＥＭＭ更新部12023は、ＥＭＭ更新要求120311を受信すると鍵Ｋｗ12022で復号化し、ＥＭＭ更新要求120311で指定されたコンテンツを、指定された有効期限まで視聴可能にする情報をＥＭＭ12021に設定する。その際、視聴した広告の情報を告知情報1203111と共に履歴情報管理部12024へ保存する。
【０１７６】
次に、履歴情報管理部12024は、「報告する」告知情報1203111が付された広告の視聴回数の情報を広告発行サイト1201に送信し、広告発行サイト1201の広告視聴履歴収集部12011は、これを受信してセキュアモジュール1202に応答を返す。この間の動作は、第１１の実施形態における動作と変わりがない。
【０１７７】
次に、広告視聴履歴収集部12011は、報告された広告Ａの視聴回数ａを基に、ランキング情報には記載されているが視聴回数は報告されていない広告Ｂの視聴回数ｂを、広告Ａのランキング及び視聴回数ａと、広告Ｂのランキング及び視聴回数ｂとの比例計算で算出する。
【０１７８】
このように、この視聴制御装置では、効率的に広告の視聴履歴の情報を収集することができる。
【０１７９】
（第１３の実施形態）
本発明の第１３の実施形態では、放送されたコンテンツをリアルタイムで視聴する場合に、放送の途中から見始めた人に対して、コンテンツの最後までの視聴を可能にする視聴制御装置について説明する。
【０１８０】
生放送番組を途中から見始めた人は、当然、番組の冒頭に放送された広告を見ていない。この場合、広告が視聴されていないからと言って、番組を見せないのは酷である。この視聴制御装置では、こうしたケースを救済する。
【０１８１】
この装置では、図２２に示すように、放送装置1301が、ＥＭＭ更新要求130111を含む広告13011と、各コンテンツの実放送時間と広告の放送時間とを鍵Ｋｗ13022で暗号化した期限付きＥＭＭ更新要求130121を含むＥＰＧ13012とを放送する。セキュアモジュール1302は、ＥＭＭ130211、鍵Ｋｗ13022、ＥＭＭ更新部13023の他に、期限付きＥＭＭ更新要求130121を受信して鍵Ｋｗ13022で復号化し、期限付きＥＭＭ更新要求130121に記載されているコンテンツを実放送時間の間、そのコンテンツを視聴可能とする情報をＥＭＭ13021に設定する期限付きＥＭＭ更新要求管理部13024を備えている。
【０１８２】
この視聴制御装置の動作について説明する。放送装置1301は、暗号化済コンテンツとＥＣＭとともに期限付きＥＭＭ更新要求130121を含むＥＰＧ13012を放送し、また、広告の挿入ポイントでＥＭＭ更新要求130111を含む広告13011を放送する。
【０１８３】
本放送を途中から視聴した場合に、セキュアモジュール1302の期限付きＥＭＭ更新要求管理部13024は、ＥＰＧ13012を受信し、その中の期限付きＥＭＭ更新要求130121を鍵Ｋｗ13022で復号化して、期限付きＥＭＭ更新要求130121に記載されているコンテンツを実放送時間の間、視聴可能とする情報をＥＭＭ13021に設定する。その結果、そのコンテンツの実放送時間が終了するまでは、コンテンツの視聴が可能になる。
【０１８４】
次に、番組途中に挿入された広告13011が視聴され、ＥＭＭ更新部13023がＥＭＭ更新要求130111を受信すると、ＥＭＭ更新部13023は、それを鍵Ｋｗ13022で復号化して、ＥＭＭ更新要求130111に記載されているコンテンツを、ＥＭＭ更新要求130111に記載されている有効期限まで視聴可能とする情報をＥＭＭ13021に設定する。このとき、ＥＭＭ13021に、期限付きＥＭＭ更新要求管理部13024により、その有効期限よりも長いコンテンツの視聴時間が既に設定されている場合は、ＥＭＭ更新要求130111に基づく設定を行わない。
【０１８５】
このように、この視聴制御装置では、本放送の途中から視聴した場合に、コンテンツを最後まで視聴することができる。しかし、放送されたコンテンツを蓄積した場合は、広告を視聴してＥＭＭ更新要求によりＥＭＭを更新しなければコンテンツの視聴はできない。
【０１８６】
（第１４の実施形態）
本発明の第１４の実施形態では、本放送を途中から見始めた人に、その後に挿入される広告をスキップすること無く視聴するように制御する視聴制御装置について説明する。
【０１８７】
この装置では、図２３に示すように、放送装置1401から放送されるＥＰＧ14012に、各コンテンツの実放送時間と広告の放送時間とを鍵Ｋｗ14022で暗号化した暗号化広告関連情報140121が含まれており、また、セキュアモジュール1402は、暗号化広告関連情報140121を受けて鍵Ｋｗ14022で復号化し、暗号化広告関連情報140121に記載されているコンテンツを現在時刻から次の広告が放送されるまでの間、視聴可能とする情報をＥＭＭ14021に設定する暗号化広告関連情報管理部14024を備えている。その他の構成は第１３の実施形態（図２２）と変わりがない。
【０１８８】
この視聴制御装置の動作について説明する。放送装置1401は、暗号化済コンテンツとＥＣＭとともに暗号化広告関連情報140121を含むＥＰＧ14012を放送し、また、広告の挿入ポイントでＥＭＭ更新要求140111を含む広告14011を放送する。
【０１８９】
本放送を途中から視聴した場合に、セキュアモジュール1402の暗号化広告関連情報管理部14024は、暗号化広告関連情報140121を受信し、鍵Ｋｗ14022で復号化して、暗号化広告関連情報140121に記載されているコンテンツを現在時刻から次の広告が放送されるまでの間、視聴可能とする情報をＥＭＭ14021に設定する。なお、ＥＭＭ14021にそのコンテンツの視聴時間が一度設定された場合は、更新しない。
【０１９０】
次に、番組途中に挿入された広告14011が視聴され、ＥＭＭ更新部14023がＥＭＭ更新要求140111を受信すると、ＥＭＭ更新部14023は、それを鍵Ｋｗ14022で復号化し、ＥＭＭ更新要求140111に記載されているコンテンツをＥＭＭ更新要求140111に記載されている有効時間まで視聴可能とする情報をＥＭＭ14021に設定する。
【０１９１】
このように、この視聴制御装置では、本放送の途中から視聴した場合に、次の広告が放送されるまでコンテンツの視聴が可能になり、その後は、広告を視聴しなければコンテンツを見ることができなくなる。従って、本放送の途中から視聴した場合でもコンテンツを視聴することができ、かつ、視聴開始後は広告の視聴をスキップすることなく視聴させることができる。
【０１９２】
（第１５の実施形態）
本発明の第１５の実施形態では、広告の視聴を条件にコンテンツの視聴を可能にする方式を、１個の鍵で暗号化されたコンテンツに対して適用する視聴制御装置について説明する。
【０１９３】
コンテンツを１個の鍵で暗号化することは、デジタル著作権管理（ＤＲＭ）のために広く行われており、インターネット上で販売されるコンテンツの多くは、この方式で暗号化されている。
【０１９４】
この実施形態の視聴制御装置は、広告を視聴すれば、１個の鍵で暗号化されたコンテンツが視聴できるようにしており、そうすることで、広告主に効果的な広告の場を提供し、ユーザに無料でコンテンツを見る機会を与えている。
【０１９５】
この装置は、図２４に示すように、暗号化済コンテンツを再生または放送する再生／放送装置1501と、コンテンツの復号化を行うセキュアモジュール1502と、広告及びコンテンツを表示する表示装置1504とを備えている。
【０１９６】
再生／放送装置1501は、１個の鍵（ＫｓContents）で暗号化された暗号化済コンテンツ15012と、コンテンツの識別番号及びコンテンツの復号化に用いる鍵ＫｓContentsの情報を鍵Ｋｗ15022で暗号化したＫｓContents情報15013と、コンテンツを視聴するために必要な広告15011とを出力する。広告15011には、コンテンツの特定情報及び視聴可能な有効期限が記述されたＥＭＭ更新要求150111が含まれており、ＥＭＭ更新要求150111は鍵Ｋｗ15022で暗号化されている。
【０１９７】
この広告15011、ＫｓContents情報15013及び暗号化コンテンツ15012は、例えばＤＶＤなどの記録媒体に一体に記録されており、再生／放送装置1501は、この記録媒体を再生して広告15011、ＫｓContents情報15013及び暗号化コンテンツ15012を出力し、あるいは、再生した情報をネットワークを通じて送出する。
【０１９８】
セキュアモジュール1502は、コンテンツの視聴条件を規定するＥＭＭ15021と、ＥＭＭ更新要求150111及びＫｓContents情報15013を復号化するための鍵Ｋｗ15022とを保持し、ＥＭＭ更新要求150111を鍵Ｋｗ15022で復号化して、ＥＭＭ更新要求150111に記載されているコンテンツを、ＥＭＭ更新要求150111に記載されている有効期限まで視聴可能にする情報をＥＭＭ15021に設定するＥＭＭ更新部15024と、ＫｓContents情報15013を鍵Ｋｗ15022で復号化して鍵ＫｓContentsを抽出するＫｓContents抽出部15025と、暗号化済コンテンツ15012をＫｓContents抽出部15025が抽出した鍵ＫｓContentsで復号化して暗号解除コンテンツ1503を出力するデスクランブラ15023とを備えている。なお、暗号化済コンテンツ15012は、一個の鍵ＫｓContentsで暗号化されているため、その鍵が漏洩すると大きな被害が発生する。そのため、この装置では、デスクランブラ15023を秘匿性の高いセキュアモジュール1502内に設けている。
【０１９９】
また、表示装置1504は、再生／放送装置1501から出力された広告15011と、セキュアモジュール1502から出力された暗号解除コンテンツ1503とを表示する。
【０２００】
この視聴制御装置の動作について説明する。まず、再生／放送装置1501は、ＥＭＭ更新要求150111を含む広告15011と、暗号化済コンテンツ15012と、ＫｓContents情報15013とを再生または放送する。広告15011は表示装置1504で表示される。
【０２０１】
セキュアモジュール1502内のＥＭＭ15021は、最初はどのコンテンツも視聴不可能と設定されている。ＥＭＭ更新部15024は、ＥＭＭ更新要求150111を受信すると鍵Ｋｗ15022で復号化して、ＥＭＭ更新要求150111に記載されているコンテンツを、ＥＭＭ更新要求150111に記載されている有効期限まで視聴可能にする情報をＥＭＭ15021に設定する。
【０２０２】
次に、ＫｓContents抽出部15025は、ＫｓContents情報15013を鍵Ｋｗ15022で復号化して鍵ＫｓContentsを抽出する。
【０２０３】
次に、デスクランブラ15023は、暗号化済コンテンツ15012を受信し、ＥＭＭ15021に設定されているそのコンテンツの視聴可能な有効期限と、現在時刻とを比較して、視聴可能な場合に、暗号化済コンテンツ15012を鍵ＫｓContentsで復号化して暗号解除コンテンツ1503を送出する。表示装置1504は、その暗号解除コンテンツ1503を表示する。
【０２０４】
このように、この視聴制御装置では、ネットワーク上で提供される、一個のキーで暗号化されたコンテンツに対して、最新の広告の視聴を条件としてコンテンツの視聴を許容する視聴制御が可能である。
【０２０５】
（第１６の実施形態）
本発明の第１６の実施形態では、一個のキーで暗号化されたコンテンツの復号キーを安全に受け渡すことができる視聴制御装置について説明する。
【０２０６】
ここでは、広告発行サイトが、ネットワーク上で、最新の広告を視聴したユーザにコンテンツを提供する形態を想定しており、このとき、ユーザが広告発行サイトからコンテンツの復号キーを安全に取得できるようにしている。
【０２０７】
この装置では、図２５に示すように、コンテンツを視聴するための鍵ＫｓContentsを発行する広告発行サイト1601が、広告発行サイト毎の鍵Ｋｓiteを暗号化するための鍵Ｋｗ16011を保持し、鍵Ｋｓiteを鍵Ｋｗ16011で暗号化してＫｓite情報16012を生成し、コンテンツを視聴するための鍵ＫｓContentsを鍵Ｋｓiteで暗号化してＫｓContents情報２（16013）を生成する。
【０２０８】
一方、セキュアモジュール1602は、ＥＭＭ16021、鍵Ｋｗ16022、ＥＭＭ更新部16023の他に、Ｋｓite情報16012を鍵Ｋｗ16022で復号化して鍵Ｋｓiteを抽出するＫｓite抽出部16025と、Ｋｓite抽出部16025が抽出した鍵ＫｓiteでＫｓContents情報２（16013）を復号化して鍵ＫｓContentsを抽出するＫｓContents抽出部16024とを備えている。
【０２０９】
この視聴制御装置の動作について説明する。まず、セキュアモジュール1602のＫｓite抽出部16025は、広告発行サイト1601からＫｓite情報16012を取得し、鍵Ｋｗ16022で復号化して鍵Ｋｓiteを抽出する。
【０２１０】
次に、セキュアモジュール1602のＫｓContents抽出部16024は、広告発行サイト1601から、視聴するコンテンツのＫｓContents情報２（16013）を取得し、鍵Ｋｓiteで復号化して鍵ＫｓContentsを抽出する。
【０２１１】
このように、この視聴制御装置では、一つのキーで暗号化されているコンテンツのキーを、ネットワーク上で安全に受け渡すことができる。この抽出した鍵ＫｓContentsを使用する視聴制御の態様は、第１５の実施形態の場合と同様である。
【０２１２】
（第１７の実施形態）
本発明の第１７の実施形態では、蓄積されたコンテンツを一時停止したり、一部を巻き戻したりしてランダムに視聴する場合でも、円滑に視聴制御が可能な視聴制御装置について説明する。
【０２１３】
ここでは、広告の挿入ポイントが３０分毎に設定されており、コンテンツの冒頭、開始から３０分後、開始から１時間後、及び、開始から１時間半後に広告が挿入されるものとする。また、それらの広告のＥＭＭ更新要求において、コンテンツ視聴の有効期限が３０分間に設定されているものとする。
【０２１４】
この場合、広告を視聴することによって、次の広告の挿入時期までのコンテンツの視聴が可能になるため、冒頭の広告から順に正常速度で広告及びコンテンツを再生するならば、コンテンツの最後まで支障なく見ることができる。
【０２１５】
しかし、コンテンツの再生時に一時停止やスロー再生を行うと、コンテンツ視聴の有効期限が経過しても次の広告が再生されず、コンテンツの視聴が中断されることになる。
【０２１６】
この実施形態の視聴制御装置は、こうした事態を回避することができる。
【０２１７】
この装置では、図２６に示すように、蓄積／再生装置1701が、暗号化済コンテンツ17012、ＥＣＭ17013、広告関連情報17014（第７の実施形態参照）、ＥＭＭ更新要求170111を含み各挿入ポイントで挿入される広告17011の他に、コンテンツの再生時に広告関連情報17014に記載されている順に広告の再生を制御する広告再生制御部17015を備えている。その他の構成は第１の実施形態（図１）と変わりがない。
【０２１８】
この視聴制御装置の動作について説明する。まず、蓄積／再生装置1701は、コンテンツを再生する際に、ＥＭＭ更新要求170111を含む広告17011（広告関連情報17014に記載されている最初の広告17011）と暗号化済コンテンツ17012とを再生する。その時に暗号化済コンテンツ17012と同期したＥＣＭ17013も再生する。広告17011は表示装置1706で表示される。
【０２１９】
なお、広告再生制御部17015は、再生した広告によって確保された視聴可能な時間が経過しても次の広告が再生されない場合（こうした状態はコンテンツをランダムに再生する場合に発生する）は、暗号化済コンテンツ17012及びＥＣＭ17013の再生を止めて、広告関連情報17014に記載されている次の広告17011を再生させ、その後に暗号化済コンテンツ17012及びＥＣＭ17013の再生を再開させる。
【０２２０】
セキュアモジュール1702における動作は、第１の実施形態と同じである。広告再生制御部17015の制御のもとに、広告17011が広告関連情報17014に記載されているスケジュールで再生されるため、コンテンツの視聴は、コンテンツがランダムに再生される場合であっても、中断すること無く継続する。
【０２２１】
このように、この視聴制御装置では、コンテンツをランダムに視聴する場合でも、コンテンツの視聴の中断を招くこと無く視聴制御を行うことができる。
【０２２２】
（第１８の実施形態）
本発明の第１８の実施形態では、コンテンツがランダムに視聴される場合でも、コンテンツに付与された複数の広告が公平に視聴されるように視聴制御する視聴制御装置について説明する。
【０２２３】
コンテンツがランダムに視聴されるときに、広告関連情報に記載されたスケジュールで、コンテンツに付与された複数の広告を順番に再生すると、順番の遅い広告は、順番の早い広告に比べて再生の機会が減少する。第１７の実施形態で示した例で言えば、開始から１時間半後に挿入される広告が再生される確率は、開始から３０分後に挿入される広告が再生される確率よりも低くなる。
【０２２４】
この実施形態の視聴制御装置は、こうした不公平を無くすため、コンテンツがランダムに再生されている間に広告の再生時期が来た場合、コンテンツの再生箇所の直前に挿入されるべき広告を再生するようにしている。
【０２２５】
この装置では、図２７に示すように、蓄積／再生装置1801が、１つのコンテンツを、広告を挿入する単位で分割した暗号化済コンテンツ18012と、各暗号化済コンテンツ18012に対応して分割したＥＣＭ18013と、ＥＭＭ更新要求180111を含み各挿入ポイントで挿入される複数の広告18011と、広告の一覧情報（そのコンテンツの広告の挿入ポイントと、そのポイントで視聴すべき広告の対応関係を含む）を含む広告関連情報18014と、広告18011が再生されるときに、広告関連情報18014を参照して、再生しようとする暗号化済コンテンツ18012の直前に再生すべき広告18011を選択して、その広告の再生を制御する広告再生制御部18015とを備えている。その他の構成は第１の実施形態（図１）と変わりがない。
【０２２６】
この視聴制御装置の動作について説明する。まず、蓄積／再生装置1801は、コンテンツを再生する際に、ＥＭＭ更新要求180111を含む広告18011（広告再生制御部18015が広告関連情報18014を参照して再生しようとする暗号化済コンテンツ18012の直前に再生すべきものとして選択した広告18011）と暗号化済コンテンツ18012とを再生する。その時に暗号化済コンテンツ18012と同期したＥＣＭ18013も再生する。広告18011は表示装置1806で表示される。
【０２２７】
なお、広告再生制御部18015は、再生した広告によって確保された視聴可能な時間が経過しても次の広告が再生されない場合（こうした状態はコンテンツをランダムに再生する場合に発生する）は、暗号化済コンテンツ18012及びＥＣＭ18013の再生を止めて、広告関連情報18014を参照し、再生しようとする暗号化済コンテンツ18012の直前に再生すべき広告18011を選択してその広告18011を再生させ、その後に暗号化済コンテンツ18012及びＥＣＭ18013の再生を再開させる。
【０２２８】
セキュアモジュール1802における動作は、第１の実施形態と同じである。
【０２２９】
この装置では、コンテンツがランダムに再生される場合であっても、広告再生制御部18015の制御のもとに、コンテンツの視聴の中断が発生しないように広告18011が再生される。このとき再生される広告は、再生しようとする暗号化済コンテンツ18012の直前に挿入されるべきものであるから、広告の挿入順序による再生機会の多寡は無くなる。
【０２３０】
このように、この視聴制御装置では、複数の広告が付与されているコンテンツをランダムに視聴する場合でも、公平に広告を視聴させることができる。
【０２３１】
なお、各実施形態の再生装置に蓄積されている情報をＤＶＤなどの記録媒体に蓄積すれば、ＤＶＤを再生することによって、広告の視聴を条件とするコンテンツの視聴制御が可能になる。例えば、記録媒体に、暗号化されたコンテンツと、そのコンテンツを復号化するための鍵と、広告と、その広告が再生視聴されたときにコンテンツの視聴を許容する有効期限の情報とを記録し、あるいは、さらに、有効期限が経過した時点で取得すべき最新の広告の取得先を示す広告関連情報を併せて記録することにより、コンテンツの再生の度に最新の広告が視聴されることになる。そのため、この記録媒体は、新たな広告手段と成り得る。
【産業上の利用可能性】
【０２３２】
本発明にかかる視聴制御装置は、広告を視聴したときにコンテンツが視聴できるように、コンテンツの視聴制御を行うことができ、そのため、視聴者は、コンテンツを無料で視聴するために、確実に広告を見ることになるという効果を有し、放送されたコンテンツや蓄積されたコンテンツの視聴を制御する視聴制御装置として有用である。
【図面の簡単な説明】
【０２３３】
【図１】本発明の第１の実施形態における視聴制御装置の構成例を示す図
【図２】広告の構成の一例を示す図
【図３】ＥＭＭ更新要求情報の構成の一例を示す図
【図４】視聴者が広告を視聴する前のＥＭＭの構成の一例を示す図
【図５】視聴制御装置の広告再生動作の一例を示すフローチャート
【図６】視聴者が広告を視聴した後のＥＭＭの構成の一例を示す図
【図７】視聴制御装置の暗号化コンテンツ再生動作の一例を示すフローチャート
【図８】本発明の第２の実施形態における視聴制御装置の構成例を示す図
【図９】本発明の第２の実施形態の視聴制御装置の動作を示すフローチャート
【図１０】本発明の第３の実施形態における視聴制御装置の構成例を示す図
【図１１】本発明の第３の実施形態の視聴制御装置の動作を示すフローチャート
【図１２】本発明の第４の実施形態における視聴制御装置の構成例を示す図
【図１３】本発明の第４の実施形態の視聴制御装置の動作を示すフローチャート
【図１４】本発明の第５の実施形態における視聴制御装置の構成例を示す図
【図１５】本発明の第６の実施形態における視聴制御装置の構成例を示す図
【図１６】本発明の第７の実施形態における視聴制御装置の構成例を示す図
【図１７】本発明の第８の実施形態における視聴制御装置の構成例を示す図
【図１８】本発明の第９の実施形態における視聴制御装置の構成例を示す図
【図１９】本発明の第１０の実施形態における視聴制御装置の構成例を示す図
【図２０】本発明の第１１の実施形態における視聴制御装置の構成例を示す図
【図２１】本発明の第１２の実施形態における視聴制御装置の構成例を示す図
【図２２】本発明の第１３の実施形態における視聴制御装置の構成例を示す図
【図２３】本発明の第１４の実施形態における視聴制御装置の構成例を示す図
【図２４】本発明の第１５の実施形態における視聴制御装置の構成例を示す図
【図２５】本発明の第１６の実施形態における視聴制御装置の構成例を示す図
【図２６】本発明の第１７の実施形態における視聴制御装置の構成例を示す図
【図２７】本発明の第１８の実施形態における視聴制御装置の構成例を示す図
【符号の説明】
【０２３４】
101  再生／放送装置
1011  広告
10111  ＥＭＭ更新要求
1012  暗号化済コンテンツ
1013  ＥＣＭ
102  セキュアモジュール
1021  ＥＭＭ
1022  Ｋｗ
1023  Ｋｓ抽出部
1024  ＥＭＭ更新部
103  Ｋｓ
104  デスクランブラ
105  暗号解除コンテンツ
106  表示装置
20112  Ｋｗ２情報
20111  ＥＭＭ更新要求２
2024  Ｋｗ２抽出部
301111  広告視聴時間情報
3026  広告視聴時間判定部
40112  Ｋｃｍ情報
4024  Ｋｃｍ抽出部
4025  Ｋｃｍ
501  時刻補正サイト
5011  時刻情報作成部
5022  鍵発生部
5023  時刻補正部
6012  ＰＰＶ情報
6024  ＰＰＶ操作部
603  視聴権購入操作部
7012  ＥＰＧ
70121  広告関連情報
8025  予約手段
8026  広告更新手段
803  広告発行サイト
9015  コピー制御部
1001  グループ視聴制御情報
1002  グループ／コンテンツ対応情報
1003  視聴情報作成部
11011  広告視聴履歴収集部
11024  履歴情報管理部
1203111  告知情報
12013  ランキング情報
130121  期限付きＥＭＭ更新要求
13024  期限付きＥＭＭ更新要求管理部
140121  暗号化広告関連情報
14024  暗号化広告関連情報管理部
15013  ＫｓContents情報
15025  ＫｓContents抽出部
16012  Ｋｓite情報
16013  ＫｓContents情報２
16025  Ｋｓite抽出部
17015  広告再生制御部
18015  広告再生制御部
【図１】
2005032234.tif 000003
【図２】
2005032234.tif 000004
【図３】
2005032234.tif 000005
【図４】
2005032234.tif 000006
【図５】
2005032234.tif 000007
【図６】
2005032234.tif 000008
【図７】
2005032234.tif 000009
【図８】
2005032234.tif 000010
【図９】
2005032234.tif 000011
【図１０】
2005032234.tif 000012
【図１１】
2005032234.tif 000013
【図１２】
2005032234.tif 000014
【図１３】
2005032234.tif 000015
【図１４】
2005032234.tif 000016
【図１５】
2005032234.tif 000017
【図１６】
2005032234.tif 000018
【図１７】
2005032234.tif 000019
【図１８】
2005032234.tif 000020
【図１９】
2005032234.tif 000021
【図２０】
2005032234.tif 000022
【図２１】
2005032234.tif 000023
【図２２】
2005032234.tif 000024
【図２３】
2005032234.tif 000025
【図２４】
2005032234.tif 000026
【図２５】
2005032234.tif 000027
【図２６】
2005032234.tif 000028
【図２７】
2005032234.tif 000029